(57)【特許請求の範囲】
【請求項１】
被写体像に関する撮影画像から特定被写体を検出する被写体検出部と、
前記撮像画像の所定領域から撮影情報を取得する撮影情報取得部と、
前記所定領域から前記特定被写体に関する前記撮影情報を取得可能か否かを判定する判定部と、
前記特定被写体の存在位置を示す位置表示を制御する表示制御部と、を備え、
前記表示制御部は、前記判定部の判定結果に応じて、前記位置表示の表示態様を変更させる撮像装置。
【請求項２】
前記表示制御部は、前記判定部によって前記所定領域から前記特定被写体に関する前記撮影情報を取得不可能と判定された場合は、前記位置表示を非表示にする請求項１に記載の撮像装置。
【請求項３】
前記判定部は、前記撮影画像において前記所定領域に対応する領域と前記特定被写体の存在領域とが重複する場合に、前記特定被写体に関する前記撮影情報を取得可能と判定する請求項２に記載の撮像装置。
【請求項４】
前記所定領域は、ＡＦエリアを含み、
前記撮影情報取得部は、前記ＡＦエリアから測距情報を取得する請求項３に記載の撮像装置。
【請求項５】
前記所定領域は、ＡＥエリアを含み、
前記撮影情報取得部は、前記ＡＥエリアから測光情報を取得する請求項３に記載の撮像装置。
【請求項６】
前記表示制御部は、前記判定部によって前記特定被写体に関する前記撮影情報を取得不可能と判定された場合と、前記特定被写体に関する前記撮影情報を取得可能と判定された場合とで、前記位置表示の表示態様を相違させる請求項１に記載の撮像装置。
【請求項７】
被写体像に関する撮影画像から特定被写体を検出する被写体検出部と、
前記撮像画像の所定領域から撮影情報を取得する撮影情報取得部と、
前記特定被写体の存在位置を示す位置表示を制御する表示制御部と、を備え、
前記表示制御部は、前記撮影画像において前記所定領域に対応する領域と前記特定被写体との相対的な位置関係に応じて、前記位置表示の表示態様を変更させる撮像装置。
【発明の詳細な説明】
【技術分野】
【０００１】
本発明は、撮像装置における表示技術に関する。
【背景技術】
【０００２】
一眼レフレックスタイプ(以下では「一眼レフタイプ」とも略称する)の撮像装置では、被写体の確認は一般に光学ファインダで行われるが、被写体を動画的態様にてモニタに表示する電子ファインダ機能を有するものが提案されている。
【０００３】
電子ファインダ機能を有する撮像装置としては、例えば、ファインダ光学系に設けられた補助的な撮像素子によって被写体像に関する補助画像を順次に取得し、当該補助画像に基づいて、モニタにライブビュー表示を行うものがある。また、ライブビュー表示を行う撮像装置には、ライブビュー表示の中から特定の被写体（特定被写体）を検出し、当該特定被写体の位置をモニタに表示させるものもある。
【０００４】
また、一般に、一眼レフタイプの撮像装置には、被写体光を受光して被写体のピント情報（測距情報）を検出するＡＦモジュールが備えられ、当該ＡＦモジュールから出力される位相差検出信号を用いて位相差検出方式の自動合焦動作（ＡＦ動作）が実行される（例えば、特許文献１）。
【０００５】
上記のような各機能を有する撮像装置では、検出された特定被写体の位置をモニタに表示して、測距対象とする特定被写体をユーザに選択させることができる。
【０００６】
【特許文献１】特開２００８−１５４７６号公報
【発明の開示】
【発明が解決しようとする課題】
【０００７】
しかしながら、ＡＦモジュールから出力される位相差検出信号は、撮影領域に設定された所定領域（ＡＦエリア）における被写体からの光を受光して生成されるため、特定被写体が検出された位置にＡＦエリアが存在しない場合は、特定被写体についての測距情報を得ることができない。
【０００８】
このため、ユーザによって選択された特定被写体の位置にＡＦエリアが存在しない場合は、選択された特定被写体を測距対象として用いることができないという不都合が生じる。
【０００９】
また、このような不都合は、測距情報に限らず所望の特定被写体に関する撮影情報を、撮影領域に予め設定された所定領域から取得する際にも発生し得る。
【００１０】
そこで、本発明は、撮影情報を取得する特定被写体を選択する際に、撮影情報を取得できない特定被写体が、ユーザによって選択されてしまうという不都合に対処することが可能な撮像装置を提供することを目的とする。
【課題を解決するための手段】
【００１１】
本発明の第１の側面は、撮像装置であって、被写体像に関する撮影画像から特定被写体を検出する被写体検出部と、前記撮像画像の所定領域から撮影情報を取得する撮影情報取得部と、前記所定領域から前記特定被写体に関する前記撮影情報を取得可能か否かを判定する判定部と、前記特定被写体の存在位置を示す位置表示を制御する表示制御部と、を備え、前記表示制御部は、前記判定部の判定結果に応じて、前記位置表示の表示態様を変更させる。
【００１２】
また、本発明の第２の側面は、撮像装置であって、被写体像に関する撮影画像から特定被写体を検出する被写体検出部と、前記撮像画像の所定領域から撮影情報を取得する撮影情報取得部と、前記特定被写体の存在位置を示す位置表示を制御する表示制御部と、を備え、前記表示制御部は、前記撮影画像において前記所定領域に対応する領域と前記特定被写体との相対的な位置関係に応じて、前記位置表示の表示態様を変更させる。
【発明の効果】
【００１３】
本発明によれば、撮影情報を取得する特定被写体を選択する際に、撮影情報を取得できない特定被写体が選択されてしまうという不都合に対処することが可能になる。
【発明を実施するための最良の形態】
【００１４】
以下、本発明の実施形態について図面を参照して説明する。
【００１５】
＜１．第１実施形態＞
＜構成＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１６】
図１に示すように、撮像装置１Ａは、カメラ本体部（カメラボディ）２を備えている。このカメラ本体部２に対して、交換式の撮影レンズユニット（交換レンズ）３が着脱可能である。
【００１７】
撮影レンズユニット３は、主として、鏡胴１０１、ならびに、鏡胴１０１の内部に設けられるレンズ群３７（図３参照）及び絞り（不図示）等によって構成される。レンズ群３７には、光軸方向に移動することによって焦点位置を変更するフォーカスレンズ等が含まれている。
【００１８】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１９】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、撮影した画像を再生する再生モード、および外部機器との間でデータ交信を行う通信モード等を含む）の設定動作（切替動作）を行うことが可能である。また、制御値設定ダイアル８６を操作することによれば、各種撮影モードにおける制御値を設定することが可能である。
【００２０】
また、カメラ本体部２は、正面左端部にユーザが把持するためのグリップ部１４を備えている。グリップ部１４の上面には露光開始を指示するためのレリーズボタン（シャッターボタン）１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するための記録媒体（ここでは、メモリカード９０（図５参照））が着脱可能に収納されるようになっている。
【００２１】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（または「主撮像素子」とも称する）５（後述）を用いて被写体像に関する露光動作を行い、その露光動作によって得られた画像信号に所定の画像処理を施す一連の動作）が行われる。
【００２２】
図２において、カメラ本体部２の背面の略中央には、表示部としてモニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００２３】
カメラ本体部２の背面略中央上部には、ファインダ窓１０が設けられている。ファインダ窓１０には、撮影レンズユニット３からの被写体像が導かれ、ユーザは、ファインダ窓１０を覗くことによって、主撮像素子５によって取得される被写体像と等価な像を視認することができる。具体的には、撮影光学系に入射された被写体像は、ミラー機構６(図３参照)で上方に反射され、接眼レンズ６７を介して視認される。このように、ユーザは、ファインダ窓１０を覗くことによって構図決めを行うことが可能である。なお、レリーズボタン１１のＳ２状態の検出によって本撮影画像の撮影動作が開始されると、ミラー機構６は被写体像を形成する光の光路から待避し、撮影レンズユニット３からの光（被写体像を形成する光）が主撮像素子５に到達し、被写体に係る撮影画像（画像データ）が得られる。
【００２４】
ファインダ窓１０の下部には、接眼検知センサ１３が設けられている。接眼検知センサ１３は、近接物体の有無を検知するセンサであり、ユーザによるファインダ使用の有無を検知する。
【００２５】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２６】
モニタ１２の右側には方向選択キー８４と表示切替スイッチ９とが設けられている。方向選択キー８４は、円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２７】
表示切替スイッチ９は、３点のスライドスイッチからなる。表示切替スイッチ９の接点が上段の「光学」位置に設定されると光学ビューファインダモード（「ＯＶＦモード」とも称する）が選択され、光学ファインダ視野内に被写体像が表示される。これにより、ユーザは、ファインダ窓１０を介して光学ファインダ視野内の被写体像を視認して、構図決め操作（「フレーミング」とも称する）を行うことが可能になる。
【００２８】
また、表示切替スイッチ９の接点が下段の「液晶」位置に設定されると電子ビューファインダモード（「ＥＶＦモード」とも称する）が選択され、モニタ１２において被写体像に係るライブビュー画像が動画的態様にて表示（ライブビュー表示）される。これにより、ユーザは、モニタ１２に表示されるライブビュー画像を視認することによって、フレーミングを行うことが可能になる。
【００２９】
また、表示切替スイッチ９の接点が中段の「自動」位置に設定されると、ファインダ窓１０への接眼の有無に応じて、光学ファインダ視野内の表示（「ＯＶＦ表示」とも称する）とライブビュー表示とが自動的に切り替えられる。これにより、ユーザは、撮像装置１Ａの使用態様に応じて、光学ファインダ視野内の表示、或いはライブビュー表示のいずれかを視認して、フレーミングを行うことが可能となる。
【００３０】
モニタ１２の左側には、メニュー画面の設定、画像の削除などを行うための複数のボタンからなる設定ボタン群８３が設けられている。
【００３１】
次に、撮像装置１Ａの内部構成について説明する。図３および図４は、第１実施形態に係る撮像装置１Ａの縦断面図である。
【００３２】
図３に示すように、撮像装置１Ａの内部には、ファインダ部（「ファインダ光学系」とも称する）１０２、ミラー機構６、位相差ＡＦモジュール（以下、単にＡＦモジュールとも称する）２０、シャッタ４、主撮像素子５および副撮像素子７などが備えられている。
【００３３】
主撮像素子（ここではＣＣＤセンサ（単にＣＣＤとも称する））５は、撮影レンズユニット３が備えているレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００３４】
また、主撮像素子５の直前には、シャッタ４が配置されている。このシャッタ４は、上下方向に移動する幕体を備え、光軸Ｌに沿って主撮像素子５に導かれる被写体光の光路開口動作および光路遮断動作を行うメカニカルフォーカルプレーンシャッタである。
【００３５】
また、図３に示されるように、撮影レンズユニット３から主撮像素子５に至る光路（「撮影光路」とも称する）上には、ミラー機構６が設けられている。
【００３６】
ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過させる。また、ミラー機構６は、主ミラー６１を透過した光を下方に反射させるサブミラー６２（副反射面）をも有している。
【００３７】
また、ミラー機構６は、所謂クイックリターンミラーとして構成されており、ミラーダウン状態とミラーアップ状態との間で姿勢を切り替えることが可能である。
【００３８】
具体的には、撮影モードにおいてレリーズボタン１１が全押し状態Ｓ２にされるまで、換言すれば構図決めの際には、ミラー機構６はミラーダウン状態となるように配置される（図３参照）。そして、ミラーダウン状態では、撮影レンズユニット３からの被写体光は、主ミラー６１で上方に反射され観察用光束としてファインダ部（「ファインダ光学系」とも称する）１０２に入射する。ファインダ部１０２の詳細については、後述する。
【００３９】
また、被写体光の一部は、主ミラー６１を透過し、サブミラー６２によって下方に反射され、ＡＦモジュール２０へと導かれる。
【００４０】
ＡＦモジュール２０は、被写体のピント情報（「測距情報」とも称する）を検出するラインセンサ（焦点検出センサ）等によって構成され、所謂ＡＦセンサとして機能する。具体的には、ＡＦモジュール２０は、撮影領域に設定された測距エリア（「フォーカスエリア」または「ＡＦエリア」とも称する）における被写体からの光を受光して、被写体像の合焦度合いに応じた位相差検出信号を発生させる位相差検出機能を有している。すなわち、撮影待機時におけるミラーダウン状態においては、ＡＦモジュール２０に導かれる被写体光に基づいて、ＡＦモジュール２０から位相差検出信号が出力される。
【００４１】
このようにＡＦモジュール２０は、撮影領域の所定位置に固定的に設定されたＡＦエリアから、撮影情報としての測距情報を取得する撮影情報取得手段として機能する。
【００４２】
一方、レリーズボタン１１が全押し状態Ｓ２にされると、ミラー機構６はミラーアップ状態（図４参照）となるように駆動され、露光動作が開始される。
【００４３】
具体的には、図４に示すように、露光時には、ミラー機構６は、回転軸６３を支点として上方に向けて跳ね上がり、撮影光路から待避する。詳細には、撮影光学系からの光を遮らないように主ミラー６１とサブミラー６２とが上方に待避し、撮影レンズユニット３からの光がシャッタ４の開放タイミングに合わせて主撮像素子５に到達する。主撮像素子５は、光電変換によって、受光した光束に基づいて被写体像に関する画像信号を生成する。このように、被写体からの光が撮影レンズユニット３を介して主撮像素子５に導かれることによって、被写体に係る撮影画像（撮影画像データ）が得られる。
【００４４】
＜機能ブロック＞
次に、撮像装置１Ａの機能の概要について説明する。図５は、第１実施形態に係る撮像装置１Ａの機能構成を示すブロック図である。
【００４５】
図５に示されるように、撮像装置１Ａは、位相差ＡＦモジュール２０、操作部８０、全体制御部１００、ミラー機構６、シャッタ４、主撮像素子５、Ａ／Ｄ変換回路５２、デジタル信号処理回路５０、および画像メモリ５６等を備える。
【００４６】
操作部８０は、レリーズボタン１１（図１参照）を含む各種ボタンおよびスイッチ等を備えて構成される。操作部８０に対するユーザの入力操作に応答して、全体制御部１００が各種動作を実現する。
【００４７】
主撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００４８】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００４９】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００５０】
画像メモリ５６は、生成された画像データを一時的に記憶するための、高速アクセス可能な画像メモリであり、複数フレーム分の画像データを記憶可能な容量を有している。
【００５１】
本撮影時には、画像メモリ５６に一時記憶される画像データは、全体制御部１００において適宜画像処理（圧縮処理等）が施された後、メモリカード９０に記憶される。
【００５２】
副撮像素子７は、基本的には主撮像素子５と同様の機能を有し、いわゆるライブビュー画像取得用（電子ファインダ用）の撮像素子（補助撮像素子）としての役割を果たす。具体的には、副撮像素子７は、ファインダ光学系に導かれた被写体像の露光を行い、ライブビュー表示用の画像に関する画像信号を取得する。なお、副撮像素子７は、ライブビュー用の画像信号を生成するための解像度を有していればよく、通常、主撮像素子５よりも少ない数の画素で構成される。
【００５３】
副撮像素子７によって取得された画像データは、Ａ／Ｄ変換回路５２およびデジタル信号処理回路５０において所定の処理が実行され画像メモリ５６に一旦記憶された後、モニタ１２に表示される。
【００５４】
全体制御部１００は、マイクロコンピュータとして構成され、主にＣＰＵ，ＲＡＭ１２０Ａ、およびＲＯＭ１２０Ｂ等を備える。全体制御部１００は、ＲＯＭ１２０Ｂ内に格納されたプログラムを読み出し、当該プログラムをＣＰＵで実行することによって、各種機能を実現する。
【００５５】
全体制御部１００は、上述のプログラムの実行によって、位相差ＡＦ制御部１２１、被写体検出部１２２、駆動制御部１２３、判定部１２４、表示制御部１２５、およびミラー制御部１２６等を機能的に実現する。
【００５６】
位相差ＡＦ制御部１２１は、位相差方式による自動合焦（ＡＦ）動作（「位相差ＡＦ」とも称する）を行う。具体的には、位相差ＡＦ制御部１２１は、ＡＦモジュール２０から出力される位相差検出信号に基づいて、合焦時の撮影レンズ（より詳細にはフォーカスレンズ）の位置（レンズ合焦位置）を特定するレンズ合焦位置特定動作を行う。
【００５７】
また、位相差ＡＦ制御部１２１は、駆動制御部１２３と協働して、当該レンズ合焦位置に撮影レンズ（フォーカスレンズ）を移動するレンズ駆動動作をも実行する。
【００５８】
具体的には、位相差ＡＦ制御部１２１は、駆動制御部１２３を介して撮影レンズユニット３のレンズ側制御部３１に制御信号を伝達し、レンズ駆動部３８を駆動させ、撮影レンズユニット３のレンズ群３７に含まれるフォーカスレンズをその光軸方向に移動させる。また、フォーカスレンズの位置は、撮影レンズユニット３のレンズ位置検出部３９によって検出され、フォーカスレンズの位置を示すデータがレンズ側制御部３１から本体側の全体制御部１００に送られる。
【００５９】
被写体検出部１２２は、副撮像素子７によって取得された撮影画像（補助画像）から、特定被写体を検出する被写体検出動作を行う。ここでは、人物の顔（「顔領域」とも称する）を特定被写体とし、顔領域を補助画像から検出する顔検出動作が実行される。
【００６０】
顔領域の検出手法としては、例えば、撮影画像における各画素の画素値に基づいて、画像の肌色部分を抽出し、この肌色部分の面積が予め設定された閾値以上であった場合に、その肌色部分を人物の顔として検出する手法を採用してもよい。或いは、周知のパターン認識技術を用いて、目や口などの顔の特定部分を抽出することで、人物の顔を検出する手法を採用してもよい。なお、特定被写体として、動物（例えば、犬、猫等）の顔を検出するようにしてもよい。
【００６１】
このような顔検出動作が実行されるか否かは、メニュー画面におけるユーザ操作（メニュー操作）によって決定される。詳細には、メニュー操作によって顔検出機能（被写体検出機能）が有効化（能動化）されると、ＥＶＦモードにおいて顔検出動作が実行される。一方、メニュー操作によって顔検出機能が無効化（オフ）されると、顔検出動作が実行されない（非実行となる）。
【００６２】
なお、顔検出動作は、副撮像素子７によって順次に取得される撮影画像のうち、数フレームおきの撮影画像（「顔検出用画像」とも称する）を用いて実行される。すなわち、顔検出動作は、数フレームに１フレームの割合で実行される。
【００６３】
判定部１２４は、被写体検出動作によって検出された特定被写体に関する撮影情報が取得可能であるか否かが判定される。例えば、撮影情報として特定被写体に関する測距情報を取得する場合は、判定部１２４は、特定被写体を測距対象とするＡＦ動作が実行可能か否かを判定する。
【００６４】
表示制御部１２５は、モニタ１２などの表示部における表示内容を制御する。例えば、表示制御部１２５は、副撮像素子７によって連続的に取得される撮影画像に基づいて、モニタ１２に連続的な画像を表示させる。
【００６５】
ミラー制御部１２６は、ミラー機構６が光路から退避した状態（ミラーアップ状態）とミラー機構６が光路を遮断した状態（ミラーダウン状態）との状態切替を制御する。ミラー制御部１２６は、ミラー切り替え用モータ（不図示）を駆動制御することによって、ミラーアップ状態とミラーダウン状態とを切り替える。
【００６６】
＜構図決め動作（フレーミング動作）について＞
次に、撮像装置１Ａにおける構図決め動作について説明する。上述のように、撮像装置１Ａでは、ユーザは、表示切替スイッチ９のスライド操作によって、ＯＶＦモードで光学ファインダを利用して構図決めを行うか、ＥＶＦモードで電子ファインダを利用して構図決めを行うかを選択することができる。図６は、ＥＶＦモードにおける撮像装置１Ａの縦断面図である。
【００６７】
構図決めの際には、ミラー機構６はミラーダウン状態となるように配置される（図３および図６参照）。上述のように、ミラーダウン状態では、撮影レンズユニット３からの被写体像は、主ミラー６１で上方に反射され観察用光束としてファインダ部１０２に導かれる。
【００６８】
ファインダ部１０２は、ペンタミラー６５、接眼レンズ６７、アイピースシャッター６８、ファインダ窓１０、ビームスプリッタ７０、副撮像素子７、および測光センサ７２等を備えている。
【００６９】
ペンタミラー６５は、複数のミラー（反射面）を有しており、反射によって被写体像の天地左右を入れ替えて正立像にする機能および被写体光の光路を変更する機能を有している。
【００７０】
具体的には、ペンタミラー６５は、三角屋根状に形成された２面のミラー（ダハミラー）６５ａ，６５ｂと、当該ダハミラー（ダハ面）６５ａ，６５ｂに対して固定された面６５ｃと、光路変更ミラー（反射面）６５ｅとを有している。
【００７１】
ダハミラー６５ａ，６５ｂは、プラスチック成型により一体部品６５ｄとして形成され、被写体光を２回反射させることによって被写体像の姿勢を反転させる機能を有している。光路変更ミラー６５ｅは、光学ファインダおよび電子ファインダのいずれを採用して構図決めを行うかに応じて被写体光の光路を変更する機能を有している。
【００７２】
接眼レンズ６７は、ペンタミラー６５により正立像にされた被写体像をファインダ窓１０の外側に導く機能を有している。
【００７３】
アイピースシャッター６８は、接眼レンズ６７とファインダ窓１０との間に設けられ、ファインダ窓１０から撮像装置１Ａ内に進入する外光を遮断する遮光状態と、ファインダ窓１０からの外光を遮らない非遮光状態との間で状態切替が可能な遮光（シャッター）手段として機能する。例えば、ＥＶＦモードでは、アイピースシャッター６８は遮光状態となり、ＯＶＦモードでは、非遮光状態となる。
【００７４】
ビームスプリッタ７０は、入射する被写体光の光路を分割する機能を有している。分割された一方の被写体光の光路上には、副撮像素子７が配置され、他方の被写体光の光路上には、測光センサ７２が配置される。
【００７５】
測光センサ７２は、ビームスプリッタ７０を透過した被写体光を、結像レンズ７１を介して受光して、測光処理を行う。具体的には、測光センサ７２は、撮影領域に設定された測光エリア（「ＡＥエリア」とも称する）における被写体からの光を受光して、被写体像の光量に関する測光情報（例えば、被写体の輝度情報）を取得する。測光センサ７２によって取得された測光情報は、露出（ＡＥ）制御値の設定等に用いられる。
【００７６】
このように測光センサ７２は、撮影領域の所定位置に固定的に設定されたＡＥエリアから、撮影情報としての測光情報を取得する撮影情報取得手段として機能する。
【００７７】
以下では、光学ファインダを用いたフレーミング動作および電子ファインダを用いたフレーミング動作それぞれについて詳述する。図７は、ファインダ窓１０に映り込む線画Ｇｖを示す図である。図８は、ＡＦエリアを表す線画Ｇｖｆを示す図である。
【００７８】
まず、光学ファインダを用いたフレーミング動作について説明する。
【００７９】
図３に示すように、ＯＶＦモードでは、ミラー機構６が、撮影レンズユニット３からの被写体像の光路上に配置され、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系１０２は、撮影光学系によって取得された被写体像をファインダ窓１０へと導くことが可能である。
【００８０】
より詳細には、撮影レンズユニット３を通過した被写体光は、主ミラー６１で上方に反射され、焦点板６４に結像する。焦点板６４に結像した被写体光は、当該焦点板６４を通過し、ペンタミラー６５で進路変更された後に、接眼レンズ６７を通ってファインダ窓１０へ向かう（図３の光路ＰＡ参照）。このように光路ＰＡに沿って、ファインダ窓１０に導かれた被写体像は、ユーザ（観察者）の眼へ到達して視認される。
【００８１】
すなわち、ＯＶＦモードでは、ユーザは、ファインダ窓１０を覗くことによって、被写体像を視認し、構図決めを行うことができる。
【００８２】
また、光学ファインダにおいては、例えば図７のように被写体に対してのフォーカス位置および／または測光位置を示す線画(「線描画」または「ターゲットマーク」とも称する)Ｇｖが被写体像に重畳されてファインダ窓１０に映り込むようになっている。この線画Ｇｖは、フォーカスおよび／または露出に関する複数の撮影条件それぞれに対応する複数の線画によって構成されている。
【００８３】
なお、撮像装置１Ａでは、図７に示される線画Ｇｖのうち、９つの線画Ｇｖｆ（図８参照）に対応する位置にＡＦモジュール２０の焦点検出センサが設けられており、当該９つの線画Ｇｖｆは、撮影画面において焦点情報を取得可能なＡＦエリアを表している。撮像装置１Ａでは、これら９つのＡＦエリアに存在する焦点検出センサを用いることによって、被写体のピント合わせが可能となっている。
【００８４】
以上のような線画Ｇｖは、透光性の部材として構成される焦点板６４の上面を罫書くことで描画されている。すなわち、被写体像に重畳されてファインダ窓１０に導かれる線画Ｇｖは、撮影レンズを通った被写体光をファインダ窓１０に導く光路ＰＡ上に設けられた焦点板６４に表されている。
【００８５】
次に、電子ファインダを用いたフレーミング動作について説明する。
【００８６】
図６に示すように、ＥＶＦモードでは、ミラー機構６は、撮影レンズユニット３からの被写体像の光路上に配置される。そして、撮影レンズユニット３を通過した被写体光は、主ミラー６１で上方に反射され、焦点板６４に結像する。焦点板６４に結像した被写体光は、当該焦点板６４を通過し、ペンタミラー６５で進路変更された後に、ビームスプリッタ７０でさらにその進路が変更され、結像レンズ６９（結像光学系）を介して副撮像素子７の撮像面上で再結像する（図６の光路ＰＢ参照）。
【００８７】
このようにＥＶＦモードでは、被写体像は、ＯＶＦモードにおける光路ＰＡとは異なる光路ＰＢに沿って副撮像素子７に導かれる。
【００８８】
このようなファインダ部１０２における光路変更は、光路変更ミラー６５ｅの角度（カメラ本体部２に対する設置角度）をファインダモードに応じて変更することによって実現される。
【００８９】
具体的には、光路変更ミラー６５ｅは、表示切替スイッチ９のスライド動作に連動して、軸ＡＸ１を中心に回転可能に構成され、ＥＶＦモード（図６参照）では、ＯＶＦモード（図３参照）に比べて軸ＡＸ１を中心に矢印ＡＲ１の向きに所定角度ＡＮ回動される。
【００９０】
そして、全体制御部１００は、軸ＡＸ１に関する光路変更ミラー６５ｅの角度を検出する角度検出器（不図示）による検出結果に応じて、光学ファインダによる構図決め動作を行うべきか、電子ファインダによる構図決め動作を行うべきかを決定する。
【００９１】
図３に示す光路変更ミラー６５ｅの角度では、光学ファインダによる構図決め動作を行うべき旨が決定され、副撮像素子７への給電を停止しモニタ１２を非表示にする等の処理が行われる。一方、図６に示す光路変更ミラー６５ｅの角度では、電子ファインダによる構図決め動作を行うべき旨が決定され、ＥＶＦモードの処理、つまり副撮像素子７への給電を行うとともにモニタ１２にライブビュー画像を表示させる処理が行われる。
【００９２】
このように、ＥＶＦモードでは、光路変更ミラー６５ｅの姿勢を変更することによって、ファインダ部１０２内の被写体光の光路が変更される。これにより、被写体光は、ビームスプリッタ７０および結像レンズ６９を介して副撮像素子７に到達する。
【００９３】
上述のように、副撮像素子７は、光路ＰＢに沿って副撮像素子７に到達した被写体光を受光し、被写体像に係る撮影画像を微小時間間隔（例えば、１／６０秒）で順次に取得する。取得された時系列の撮影画像は、モニタ１２に動画的態様にて順次に表示（ライブビュー表示）される。
【００９４】
これによって、ユーザは、モニタ１２に表示される動画像（ライブビュー画像）を視認して構図決めを行うことが可能になる。
【００９５】
なお、結像レンズ６９、ビームスプリッタ７０、および副撮像素子７は、ＯＶＦモードにおいて光路変更ミラー６５ｅから接眼レンズ６７へと進行する光束を遮らない位置（ここでは、接眼レンズ６７の上方位置）に配置されている。
【００９６】
このように、撮像装置１Ａでは、ファインダ部１０２の光路変更ミラー６５ｅの姿勢を変更することによって被写体光の光路が変更され、ＯＶＦモードとＥＶＦモードとが切り換えられる。
【００９７】
＜ＥＶＦモードにおけるモニタ表示について＞
次に、ＥＶＦモードにおけるモニタ表示について詳述する。図９は、ＥＶＦモードにおけるモニタ１２の表示態様を示す図である。なお、図９では、図示簡単化のため、被写体の表示は省略されている。
【００９８】
上述のように、ＥＶＦモードでは、モニタ１２に動画的態様で被写体が表示される。また、図９に示されるように、ＥＶＦモードでは、被写体（図９では不図示）に加えて線画Ｇｖもモニタ１２に表示される。
【００９９】
さらに、ＥＶＦモードで顔検出機能が有効化されていた場合は、顔領域が検出されると、検出された当該顔領域の存在位置を示す表示（「顔位置表示」とも称する）もモニタ１２において行われる。具体的には、顔検出機能が有効化されている場合に、被写体として人が含まれていたときは、当該人の顔が検出され、顔の存在位置がモニタ１２に表示される。
【０１００】
検出された顔の存在位置は、例えば、検出された顔領域を囲む枠（以下では「顔枠」または「顔表示枠」とも称する）ＷＫによって表され、図９では、２つの顔枠ＷＫ１，ＷＫ２が表示されている。モニタ１２に表示される顔枠ＷＫの表示態様は、検出された顔領域とＡＦエリアとの相対的な位置関係に応じて変更される。
【０１０１】
以下では、このようなＥＶＦモードにおいて実行される顔位置表示動作について、図１０に示される顔位置表示動作のフローチャートを参照して説明する。また、図１１は、顔検出動作によって検出された顔を顔枠ＷＫで示す図である。
【０１０２】
撮像装置１Ａでは、ＥＶＦモードに設定されると、図１０に示される顔位置表示動作が開始される。
【０１０３】
具体的には、まず、ステップＳＰ１１において、被写体検出機能（ここでは、顔検出機能）が有効であるか否かが判定される。被写体検出機能が有効であった場合は、ステップＳＰ１２に移行し、有効でなかった（無効だった）場合は、被写体検出機能が有効化されるまで待機状態となる。
【０１０４】
ステップＳＰ１２では、被写体検出動作によって特定被写体が検出されたか否かが判定される。特定被写体が検出された場合は、ステップＳＰ１３に移行し、特定被写体が検出されなかった場合は、ステップＳＰ１６に移行する。
【０１０５】
ステップＳＰ１３では、補助画像における特定被写体の位置情報が取得される。具体的には、補助画像において特定被写体の存在領域（「検出被写体領域」とも称する）に含まれる各画素の座標値が取得される。
【０１０６】
そして、ステップＳＰ１４では、判定部１２４において、特定被写体についての撮影情報が取得可能であるか否かが判定される。
【０１０７】
例えば、撮影情報として特定被写体に関する測距情報を取得する場合は、特定被写体を測距対象として選択可能であるか否かが判定される。より詳細には、撮影領域に設定されたＡＦエリアを補助画像上で表した場合のＡＦエリア（「対応ＡＦエリア」または「換算ＡＦエリア」とも称する）と、検出被写体領域とが重複するか否かが判定される。
【０１０８】
重複判定の手法としては、例えば、補助画像上の対応ＡＦエリアに含まれる各画素の座標値と、検出被写体領域に含まれる各画素の座標値とをそれぞれ比較し、検出被写体領域に対応ＡＦエリアの少なくとも一部の画素が含まれているか否かを判定する手法を採用することができる。
【０１０９】
なお、補助画像上における対応ＡＦエリアに含まれる各画素の座標値は、撮像装置１Ａの製造時点において予め取得され、撮像装置１ＡのＲＯＭ１２０Ｂ等に予め記憶されている。
【０１１０】
このようにステップＳＰ１４では、補助画像上の対応ＡＦエリアを構成する画素の少なくとも一部が検出被写体領域に含まれる場合は、対応ＡＦエリアと検出被写体領域とは重複し、特定被写体に関する撮影情報が取得可能であると判定される。
【０１１１】
図１０に戻って、次のステップＳＰ１５では、表示制御部１２５によって、モニタ１２に検出された特定被写体の位置表示が行われる。
【０１１２】
モニタ１２に表示される位置表示の表示態様は、重複判定の判定結果に応じて変更される。
【０１１３】
例えば、図１１に示されるように、被写体検出動作（顔検出動作）によって４つの顔領域（図１１では、４つの顔枠ＷＫ１〜ＷＫ４で表されている）が検出されたと仮定すると、ステップＳＰ１４において４つの顔領域それぞれにおいて、対応ＡＦエリアが存在するか否かが判定される。
【０１１４】
この重複判定工程によって、対応ＡＦエリアを含まない顔領域（図１１では、顔枠ＷＫ３，ＷＫ４）が特定されるとともに、対応ＡＦエリアを含む顔領域（図１１では、顔枠ＷＫ１，ＷＫ２）が特定される。
【０１１５】
そして、ステップＳＰ１５では、対応ＡＦエリアを含まない顔領域を表す顔枠ＷＫ３，ＷＫ４が非表示とされ、対応ＡＦエリアを含む顔領域を表す顔枠ＷＫ１，ＷＫ２がモニタ１２に表示される（図９参照）。
【０１１６】
このように、撮像装置１Ａでは、対応ＡＦエリアを含む顔領域の位置表示を行い、対応ＡＦエリアを含まない顔領域の位置表示を行わない（位置表示を非表示とする）ように表示制御される。
【０１１７】
以上のように、撮像装置１Ａでは、撮影領域に設定された所定領域から特定被写体に関する撮影情報を取得可能か否かが判定され、判定結果に応じて特定被写体の存在位置を示す位置表示の表示態様が変更される。これによれば、ユーザは、所定領域から特定被写体に関する撮影情報を取得可能か否かを、位置表示の表示態様から判断することが可能になるので、撮影情報を取得する特定被写体を選択する際に、撮影情報を取得できない特定被写体を選択してしまうという不都合を解消することが可能になる。
【０１１８】
＜２．第２実施形態＞
次に、本発明の第２実施形態について説明する。
【０１１９】
第１実施形態に係る撮像装置１Ａでは、撮影情報として特定被写体に関する測距情報を取得していたが、第２実施形態に係る撮像装置１Ｂでは、撮影情報として特定被写体に関する測光情報が取得される。図１２は、撮像装置１ＢのＥＶＦモードにおけるモニタ１２の表示態様を示す図である。
【０１２０】
なお、第２実施形態に係る撮像装置１Ｂは、撮影情報として特定被写体に関する測光情報が取得される点以外は、第１実施形態に係る撮像装置１Ａとほぼ同様の構成および機能（図１〜図６参照）を有しており、共通する部分については同じ符号を付して説明を省略する。
【０１２１】
撮像装置１Ｂの判定部１２４では、被写体検出動作によって検出された特定被写体を測光対象とする測光処理を実行可能か否か、換言すれば、特定被写体を測光対象として選択可能であるか否かが判定される。
【０１２２】
そして、判定部１２４での判定結果に応じて、モニタ１２に表示される顔枠ＷＫの表示態様が変更される。
【０１２３】
例えば、図１１に示されるように、被写体検出動作によって４つの顔領域が検出されたと仮定すると、４つの顔領域それぞれにおいて、撮影領域に設定された測光エリアを補助画像上で表した場合の測光エリア（「対応測光エリア」または「換算測光エリア」とも称する）が存在するか否かが判定される。
【０１２４】
当該判定によって、対応測光エリアを含まない顔領域（図１１では、測光エリアを表す線画Ｇｖｓを含まない顔枠ＷＫ２，ＷＫ３，ＷＫ４）が特定されるとともに、対応測光エリアを含む顔領域（図１１では、顔枠ＷＫ１）が特定される。
【０１２５】
そして、表示制御部１２５によって、対応測光エリアを含まない顔領域を表す顔枠ＷＫ２，ＷＫ３，ＷＫ４が非表示とされ、対応測光エリアを含む顔領域を表す顔枠ＷＫ１がモニタ１２に表示される（図１２参照）。
【０１２６】
このように、撮像装置１Ｂでは、対応測光エリアを含む顔領域の位置表示を行い、対応測光エリアを含まない顔領域の位置表示を行わない（位置表示を非表示とする）ように表示制御される。これによれば、測光対象として選択可能な顔領域についての位置表示がモニタ１２に行われる一方で、測光対象として選択不可能な顔領域についての位置表示が行われないので、測光対象とならない顔領域がユーザによって選択されてしまうという不都合を解消することができる。
【０１２７】
＜３．変形例＞
以上、この発明の実施の形態について説明したが、この発明は、上記に説明した内容に限定されるものではない。
【０１２８】
例えば、上記各実施形態では、検出された顔領域を囲む枠ＷＫによって顔位置表示を行っていたが、これに限定されない。
【０１２９】
具体的には、アイコンを用いて、検出された顔領域の位置を示してもよい。
【０１３０】
また、上記各実施形態では、重複判定の判定結果に応じて、顔位置表示を表示または非表示としてその表示態様を切り替えていたが、これに限定されない。
【０１３１】
具体的には、重複判定の判定結果に応じて顔枠ＷＫの色、形等を変えてもよい。例えば、第１実施形態の当該変形例としては、対応ＡＦエリアを含む顔領域の位置表示を実線の顔枠ＷＫで行い、対応ＡＦエリアを含まない顔領域の位置表示を破線の顔枠ＷＫで行ってもよい。また、対応ＡＦエリアを含まない顔領域の顔枠ＷＫを点滅させることによって、対応ＡＦエリアを含まない顔領域の位置表示と対応ＡＦエリアを含む顔領域の位置表示との表示態様を相違させてもよい。
【０１３２】
また、上記第１実施形態では、被写体検出動作によって検出された特定被写体を測距対象として選択可能であるか否かを、対応ＡＦエリアと検出被写体領域とが重複するか否かを基準にして判定していたが、これに限定されない。
【０１３３】
具体的には、被写体検出動作によって特定被写体の目を検出し、当該目の位置から一定の距離に対応ＡＦエリアが存在するか否かを、特定被写体が測距対象として選択可能であるか否かの判定基準としてもよい。当該判定基準に従えば、検出された特定被写体の目の位置から一定の距離にＡＦエリアが存在する場合は、当該特定被写体は測距対象として選択可能であると判定される。
【０１３４】
また、人物の顔の下方には、当該人物の他の特定部位（ここでは、胴体部分）が存在する可能性が高いことから、特定被写体として検出された顔領域の下方に対応ＡＦエリアが存在する場合も、当該特定被写体が測距対象として選択可能であると判定するようにしてもよい。
【０１３５】
また、上記第１実施形態では、ＡＦモジュール２０の焦点検出センサによって焦点情報を取得可能な構成としていたが、これに限定されない。
【０１３６】
具体的には、主撮像素子５（または副撮像素子７）の受光面に、焦点情報を取得可能な位相差検出用の画素（「ＡＦ画素」とも称する）を設けて、当該ＡＦ画素からの出力信号を用いて位相差検出方式の自動合焦動作（「撮像素子による位相差ＡＦ動作」とも称する）を実行可能な構成としてもよい。
【０１３７】
この場合、判定部１２４によって、ＡＦ画素の存在位置によって規定されるＡＦエリアを補助画像上で表した場合の対応ＡＦエリアが、検出被写体領域に存在するか否かが判定され、この判定結果に応じて特定被写体の位置表示の表示態様が変更される。
【図面の簡単な説明】
【０１３８】
【図１】本発明の第１実施形態に係る撮像装置の外観構成を示す図である。
【図２】本発明の第１実施形態に係る撮像装置の外観構成を示す図である。
【図３】第１実施形態に係る撮像装置の縦断面図である。
【図４】第１実施形態に係る撮像装置の縦断面図である。
【図５】第１実施形態に係る撮像装置の機能構成を示すブロック図である。
【図６】ＥＶＦモードにおける撮像装置の縦断面図である。
【図７】ファインダ窓に映り込む線画を示す図である。
【図８】ＡＦエリアを表す線画を示す図である。
【図９】ＥＶＦモードにおけるモニタの表示態様を示す図である。
【図１０】顔位置表示動作のフローチャートである。
【図１１】顔検出動作によって検出された顔を顔枠で示す図である。
【図１２】撮像装置のＥＶＦモードにおけるモニタの表示態様を示す図である。
【符号の説明】
【０１３９】
１Ａ，１Ｂ  撮像装置
５  主撮像素子
７  副撮像素子
１２  モニタ
２０  ＡＦモジュール
７２  測光センサ
１００  全体制御部
１０２  ファインダ部（ファインダ光学系）
１２２  被写体検出部
１２４  判定部
１２５  表示制御部
ＷＫ，ＷＫ１，ＷＫ２，ＷＫ３，ＷＫ４  顔枠
【図１】
0005163257.tif 000002
【図２】
0005163257.tif 000003
【図３】
0005163257.tif 000004
【図４】
0005163257.tif 000005
【図５】
0005163257.tif 000006
【図６】
0005163257.tif 000007
【図７】
0005163257.tif 000008
【図８】
0005163257.tif 000009
【図９】
0005163257.tif 000010
【図１０】
0005163257.tif 000011
【図１１】
0005163257.tif 000012
【図１２】
0005163257.tif 000013